(57)【要約】【課題】  スプロケットに対するガイド機能を有するサイレントチェーンにおいて軽量化を実現する。【解決手段】  サイレントチェーン１において、チェーン幅方向の最外側に配置される最外側リンクプレート２ｅが、一対の歯部２１およびピン孔２２を有するリンクプレート本体２０と、リンクプレート本体２０と一体にかつ段違いに形成され、リンクプレート本体２０の各歯部２１の相対する内側フランク面２１ａで挟まれた空間に張り出すとともに、対応するスプロケットＳの側面Ｓｆに配置されてスプロケットＳに対するガイド機能を有するガイド部２３とから構成されている。【選択図】  図２
2005240835.tif 000002
【特許請求の範囲】
【請求項１】
一対の歯部およびピン孔を有する多数のリンクプレートを厚み方向および長手方向に積層するとともに、ピン孔内に挿入した連結ピンで各々枢支可能に連結してなるサイレントチェーンにおいて、
チェーン幅方向の最外側に配置される最外側リンクプレートが、
一対の歯部およびピン孔を有するリンクプレート本体と、
リンクプレート本体と一体にかつ段違いに形成され、リンクプレート本体の各歯部の相対する内側フランク面で挟まれた空間に張り出すとともに、対応するスプロケットの側面に配置されてスプロケットに対するガイド機能を有するガイド部とから構成されている、
ことを特徴とするサイレントチェーン。
【請求項２】
請求項１において、
前記ガイド部の裏面と前記リンクプレート本体の表面との間のオフセット量をｄとするとき、ｄ≧０  である、
ことを特徴とするサイレントチェーン。
【請求項３】
請求項１において、
前記ガイド部の裏面と前記リンクプレート本体の表面との間のオフセット量をｄとし、前記ガイド部の裏面と前記スプロケットの側面との間のトータルクリアランスをｃとするとき、ｄ≧ｃ  に設定されている、
ことを特徴とするサイレントチェーン。
【発明の詳細な説明】
【技術分野】
【０００１】
本発明は、スプロケットに対するガイド機能を有するサイレントチェーンに関し、より詳細には、軽量化を実現するための構造の改良に関する。
【背景技術】
【０００２】
図９ないし図１１は、従来のサイレントチェーンを示している。図９は従来のサイレントチェーンの平面部分図、図１０はスプロケットとの噛合時における図９のX-X線断面図、図１１はサイレントチェーンのガイドプレートの正面図およびそのXI-XI線断面図である。
【０００３】
図９に示すように、サイレントチェーン１００は、多数のリンクプレート１０２を厚み方向および長手方向に積層するとともに、各リンクプレート１０２を連結ピンで各々枢支可能に連結することにより構成されている。また、サイレントチェーン１００の最外側には、ガイドプレート１０４が設けられている。
【０００４】
ガイドプレート１０４は、図１１に示すように、一対のピン孔１２２を有するとともに、クロッチ部を有しない、つまりスプロケットと噛み合う歯部を有しない部材である。サイレントチェーン１００がスプロケット上に配置されたとき、図１０に示すように、ガイドプレート１０４はスプロケットＳの側面Ｓｆの側方に配置されており、これにより、スプロケットＳとの噛合時には、スプロケットＳ上でサイレントチェーン１００の走行がガイドされるようになっている。
【０００５】
このように、従来のサイレントチェーンにおいては、スプロケットとの噛合いに関与しないガイドプレートを設ける必要があり、このため、ガイドプレートの重量分だけ、サイレントチェーン全体の重量が増加していた。
【発明の開示】
【発明が解決しようとする課題】
【０００６】
本発明が解決しようとする課題は、スプロケットに対するガイド機能を有するサイレントチェーンにおいて、チェーン全体の重量を軽減させる点にある。
【課題を解決するための手段】
【０００７】
本発明は、スプロケットに対するガイド機能を備えたガイド部を最外側リンクプレートに設けたことを最も主要な特徴とする。
【０００８】
請求項１の発明に係るサイレントチェーンは、一対の歯部およびピン孔を有する多数のリンクプレートを厚み方向および長手方向に積層するとともに、ピン孔内に挿入した連結ピンで各々枢支可能に連結してなるサイレントチェーンにおいて、チェーン幅方向の最外側に配置される最外側リンクプレートが、一対の歯部およびピン孔を有するリンクプレート本体と、リンクプレート本体と一体にかつ段違いに（つまり厚み方向に突出して）形成され、リンクプレート本体の各歯部の相対する内側フランク面で挟まれた空間に張り出すとともに、対応するスプロケットの側面に配置されてスプロケットに対するガイド機能を有するガイド部とから構成されている。
【０００９】
請求項１の発明に係るサイレントチェーンによれば、スプロケットとの噛合時には、最外側リンクプレートのリンクプレート本体がスプロケットとの噛合いに関与するが、このとき、最外側リンクプレートのガイド部がスプロケットの側面に配置されて、スプロケットに対するガイド機能を発揮し、これにより、サイレントチェーンがスプロケット上において幅方向の所定位置に位置決めされる。
【００１０】
この場合には、最外側リンクプレートの各内側フランク面で挟まれた空間に張り出すガイド部がガイド機能を発揮するので、ガイドプレートを不要にでき、これにより、チェーン全体の重量を軽減できる。その結果、運転時の音振性能および伝達効率を向上できる。
【００１１】
請求項２の発明においては、ガイド部の裏面とリンクプレート本体の表面との間のオフセット量をｄとするとき、ｄ≧０  の関係を有している。
【００１２】
請求項３の発明においては、ガイド部の裏面とリンクプレート本体の表面との間のオフセット量をｄとし、ガイド部の裏面とスプロケットの側面との間のトータルクリアランス、すなわち、スプロケット上でサイレントチェーンをスプロケットの一方の側面の側に寄せて配置したときに、スプロケットの他の側面とサイレントチェーンとの間のクリアランスをｃとするとき、ｄ≧ｃ  の関係を有している。
【００１３】
請求項３の発明によれば、スプロケットとの噛合時には、サイレントチェーンがスプロケット上において幅方向のどのような位置に配置されていても、サイレントチェーンの最外側リンクプレートがスプロケット歯に片当たりすることがなく、常時全面当たりをするようになるので、最外側リンクプレートの偏摩耗を防止できる。
【発明の効果】
【００１４】
本発明に係るサイレントチェーンによれば、最外側リンクプレートにガイド部を設けるようにしたので、ガイドプレートを不要にでき、これにより、チェーン全体の重量を低減できる。
【発明を実施するための最良の形態】
【００１５】
図１は本発明の一実施例によるサイレントチェーンの平面部分図、図２はスプロケットとの噛合時における図１のII-II断面図、図３はサイレントチェーンを構成する最外側リンクプレートの正面図およびそのIII-III線断面図、図４は図２の一部拡大図である。
【００１６】
図１に示すように、サイレントチェーン１は、多数のリンクプレート２を厚み方向（同図上下方向）および長手方向（同図左右方向）に積層するとともに、連結ピン（中心線のみ一点鎖線で図示）で各々枢支可能に連結することにより構成されている。
【００１７】
チェーン幅方向（図１上下方向）の最外側に配置される最外側リンクプレート２ｅは、図３に示すように、スプロケットＳ（図２）に噛み合う一対の歯部２１と連結ピンが挿入される一対のピン孔２２とを有するリンクプレート本体２０と、リンクプレート本体２０のクロッチ部から下方に張り出すとともに、リンクプレート本体２０と一体に形成されたガイド部２３とから構成されている。
【００１８】
ガイド部２３は、リンクプレート本体２０の各歯部２１の相対する内側フランク面２１ａで挟まれた空間内に張り出す正面視台形状の張出片であって、リンクプレート本体２０と段違いに形成されるとともに、リンクプレート本体２０と平行に延びている。ガイド部２３は、スプロケットとの噛合時には、図２に示すように、プロケットＳの側面Ｓｆに配置されることにより、サイレントチェーン１をスプロケット上で幅方向の所定位置に位置決めしてサイレントチェーン１の走行をガイドするガイド機能を有する。
【００１９】
なお、最外側リンクプレート２ｅ以外の他のリンクプレート２の図示は省略するが、これらのリンクプレート２は、ガイド部２３が形成されていない点を除いて、最外側リンクプレート２ｅと同様の構成を有している。すなわち、各リンクプレート２は、一対の歯部２１およびピン孔２２を有しており、各歯部２１を構成する内側フランク面２１ａはクロッチ部で連結されている。
【００２０】
図４に示すように、サイレントチェーン１がスプロケットＳの上に配置されているとき、最外側リンクプレート２ｅのガイド部２３の裏面２３ｆとリンクプレート本体２０の表面２０ｆとの間のオフセット量をｄとすると
ｄ≧０      …  （１）
の関係が成立している。すなわち、この場合、ガイド部２３の裏面２３ｆはリンクプレート本体２０の表面２０ｆと面一に配置されているか、あるいは、ガイド部２３の裏面２３ｆとリンクプレート本体２０の表面２０ｆとの間には、一定のオフセット量が設けられている。
【００２１】
また、サイレントチェーン１をスプロケットＳ上でスプロケットＳの一方の側面の側に寄せて配置したとき、最外側リンクプレート２ｅのガイド部２３の裏面２３ｆとスプロケットＳの他の側面Ｓｆとの間のクリアランス（すなわち、サイレントチェーンとスプロケットとの間のトータルクリアランス）をｃとすると
ｄ≧ｃ      …  （２）
の関係が成立している。
【００２２】
上述のように構成されるサイレントチェーンにおいては、スプロケットとの噛合時には、最外側リンクプレート２ｅのリンクプレート本体２０の歯部２１がスプロケットＳとの噛合いに関与するが（図４参照）、このとき、最外側リンクプレート２ｅのガイド部２３がスプロケットＳの側面Ｓｆの側方に配置されて、スプロケットＳに対するガイド機能を発揮する。これにより、サイレントチェーン１がスプロケットＳ上において幅方向の所定位置に位置決めされて、サイレントチェーン１の走行がガイドされることになる。
【００２３】
この場合には、最外側リンクプレート２ｅの各内側フランク面２１ａで挟まれた空間に張り出すガイド部２３がガイド機能を発揮するので、ガイドプレートを不要にでき、これにより、チェーン全体の重量を軽減できる。その結果、運転時の音振性能および伝達効率を向上できる。
【００２４】
また、この場合、上記式（２）の関係が成立していることにより、スプロケットとの噛合時には、サイレントチェーン１がスプロケットＳ上において幅方向のどのような位置に配置されていても、サイレントチェーン１の最外側リンクプレート２ｅがスプロケット歯に片当たりすることがなく、常時全面当たりをすることになるので、最外側リンクプレート２ｅの偏摩耗を防止できる。
【００２５】
次に、最外側リンクプレートの各種変形例について、図５ないし図８を用いて説明する。なお、これらの図において、図３と同一符号は同一または相当部分を示している。これらの変形例においては、最外側リンクプレートのリンクプレート本体の形状は前記実施例と同様であり、ガイド部の形状のみが前記実施例と異なっている。
【００２６】
＜第１の変形例＞
図５は、本発明の第１の変形例による最外側リンクプレートの正面図およびそのV-V線断面図である。前記実施例では、ガイド部２３の左右両端面と内側フランク面２１ａとの間に隙間が形成されている、すなわち、ガイド部２３がリンクプレート本体２０から切り離されているが、この第１の変形例に示す最外側リンクプレート２ｅ１においては、ガイド部２３１の左右両端面が内側フランク面２１ａに連設されており、内側フランク面２１ａと一体に形成されている。
【００２７】
＜第２の変形例＞
図６は、本発明の第２の変形例による最外側リンクプレートの正面図およびそのVI-VI線断面図である。前記実施例では、ガイド部２３が各歯部２１の間のクロッチ部から下方に張り出しているが、この第２の変形例に示す最外側リンクプレート２ｅ２においては、各歯部２１から側方に張り出す左右一対のガイド部２３２からガイド部が構成されている。
【００２８】
＜第３の変形例＞
図７は、本発明の第３の変形例による最外側リンクプレートの正面図およびそのVII-VII線断面図である。前記第２の変形例では、各歯部２１から側方に張り出す左右一対のガイド部２３２からガイド部が構成されているが、この第３の変形例に示す最外側リンクプレート２ｅ３においては、一方の歯部２１からリンク中心線を超えて張り出すガイド部２３３からガイド部が構成されている。
【００２９】
＜第４の変形例＞
図８は、本発明の第４の変形例による最外側リンクプレートの正面図およびそのVIII-VIII線断面図である。前記第２の変形例では、各歯部２１から側方に張り出す左右一対のガイド部２３２の各先端に隙間が形成されているが（別の言い方をすれば、前記第３の変形においては、一方の歯部２１から張り出すガイド部２３３の先端と他方の歯部２１との間に隙間が形成されているが）、この第４の変形例に示す最外側リンクプレート２ｅ４においては、双方の歯部２１を一体的に連結する帯状のガイド部２３４からガイド部が構成されている。
【００３０】
上記いずれの変形例においても、前記実施例の場合と同様に、スプロケットとの噛合時には、各ガイド部がスプロケットに対するガイド機能を発揮することになるので、ガイドプレートを不要にでき、これにより、チェーン全体の重量を軽減して、運転時の音振性能および伝達効率を向上できる。
【図面の簡単な説明】
【００３１】
【図１】本発明の一実施例によるサイレントチェーンの平面部分図である。
【図２】スプロケットとの噛合時における図１のII-II断面図である。
【図３】サイレントチェーン（図１）を構成する最外側リンクプレートの正面図およびそのIII-III線断面図である。
【図４】図２の一部拡大図である。
【図５】本発明の第１の変形例による最外側リンクプレートの正面図およびそのV-V線断面図である。
【図６】本発明の第２の変形例による最外側リンクプレートの正面図およびそのVI-VI線断面図である。
【図７】本発明の第３の変形例による最外側リンクプレートの正面図およびそのVII-VII線断面図である。
【図８】本発明の第４の変形例による最外側リンクプレートの正面図およびそのVIII-VIII線断面図である。
【図９】従来のサイレントチェーンの平面部分図である。
【図１０】スプロケットとの噛合時における図９のX-X線断面図である。
【図１１】サイレントチェーン（図９）を構成するガイドプレートの正面図およびそのXI-XI線断面図である。
【符号の説明】
【００３２】
１：  サイレントチェーン
２：  リンクプレート
２ｅ：  最外側リンクプレート
２０：  リンクプレート本体
２１：  歯部
２１ａ：  内側フランク面
２２：  ピン孔
２３：  ガイド部
ｃ：  クリアランス
ｄ：  オフセット量
Ｓ：  スプロケット
【図１】
2005240835.tif 000003
【図２】
2005240835.tif 000004
【図３】
2005240835.tif 000005
【図４】
2005240835.tif 000006
【図５】
2005240835.tif 000007
【図６】
2005240835.tif 000008
【図７】
2005240835.tif 000009
【図８】
2005240835.tif 000010
【図９】
2005240835.tif 000011
【図１０】
2005240835.tif 000012
【図１１】
2005240835.tif 000013